(57)【要約】      （修正有）【課題】不意の波浪の海水のＪ字型の管のシュノーケルへの浸入でも使用者が、パニックを起こさない構造の水遮断装置のついたＪ字型の管のシュノーケルの提供。【解決手段】水遮断装置を備えたＪ字型の管のシュノーケルを２本合体させて１本のＵ字型の管のシュノーケルにしてある。それを使用中、それぞれの水遮断装置から空気が出て来る段階で、２本分の空気を、合流させ、１個の、マウスピースに流入させる構造になっているので、２個の水遮断装置の中の１個が浸水すると、水は遮断され空気も遮断されるが、他の１個は浸水しない限り、空気を供給するので、使用者はパニックを起こさずとも済む。【選択図】図１４
0003128525.tif 000002
【実用新案登録請求の範囲】
【請求項１】
Ｊ字型管のシュノーケルの水遮断装置を構成する器は、内部が空洞の球形と、其れより、少し小さめの、同じく内部が空洞の球形が、合体し、２階形状を形成する器で、２階に相当する部分は、球形と言うよりも、球形の屋根の、円筒と言う形容が正しい、形状の容器で、其の内部空間に球形の浮き、を入れ、球形の浮きの直径を、当該器の２階に相当する部分の小空間の直径よりも、微かに小さくし、浮きが当該器の、２階に相当する部分の小空間にも、すばやく出入り、出来る様にし、当該器の内部への、空気の流入穴を当該器の１階に相当する部分の底部に開け、空気の流出穴を、当該器の、２階に相当する部分の天井に開け、当該器の、１階に相当する部分の底部を、
二重底にし、上段の底板を、水玉模様の穴の開いた、底板にし、球形の浮き、を上段の底板の上に置き、空気の流入穴から引き離し、器内に浸水した場合、自動的に水を遮断する仕組みの水遮断装置
【請求項２】
請求項１に記載された水遮断装置に限定し、それと同一の装置を、Ｊ字型管のシュノーケルのマウスピースと、空気吸い込み口に、それぞれ、１個ずつ、直連結した、
Ｊ字型管のシュノーケルを、２本使用して、Ｕ字型の形状の、１本のシュノーケルにし、其の、１本で、合計、４個の水遮断装置を装備した、Ｕ字型管のシュノーケル
【請求項３】
請求項１に記載された水遮断装置に限定し、それと同一の装置を、Ｊ字型管のシュノーケルのマウスピースと、空気吸い込み口に、それぞれ、１個ずつ、直連結した、
Ｊ字型管のシュノーケルを、２本合体させて、１本のＪ字型管のシュノーケルにし、其の、１本で、合計、４個の水遮断装置を装備した、Ｊ字型管のシュノーケル
【請求項４】
請求項１に記載された水遮断装置に限定し、其れと同一の装置を、Ｊ字型管のシュノーケルのマウスピースに、直連結した、Ｊ字型管のシュノーケルを、２本使用して、Ｕ字型の形状の、１本のシュノーケルにし、其の、１本で、合計、２個の水遮断装置を装備した、Ｕ字型管のシュノーケル
【請求項５】
請求項１に記載された水遮断装置に限定し、それと同一の装置を、Ｊ字型管のシュノーケルのマウスピースに直連結した、Ｊ字型管のシュノーケルを、２個合体させて、１本のＪ字型シュノーケルにし、其の、１本で、合計、２個の水遮断装置を装備した、Ｊ字型管のシュノーケル
【考案の詳細な説明】
【技術分野】
【０００１】
本発明は、Ｊ字型の管のシュノーケルに関し、特に、空気吸い込み口から水が侵入して来た場合、水が使用者の口に入らない様、水を遮断する装置及び、この水遮断装置がついた、Ｊ字型の管のシュノーケルに関する。
【背景技術】
【０００２】
従来の、シュノーケルに於ける水の浸入を防ぐ水遮断装置は、シュノーケル内部への浸水防止装置であり、水上に突き出して使用する装置であった。使用者が不意に、潜った場合や突然の波浪に襲われた場合、空気吸い込み口から水が侵入する。この水が使用者のマウスピースまで到達し、パニック状態となって海難事故に会うケースが多発した。また従来のフロートによる水の遮断はフロートと空気導入管の隙間から水が侵入し、侵入した水が使用者の口まで入ることを防ぐことはできなかった。又、従来の、シュノーケルの防水装置は空気の流入穴を装置の横側に開けてあるので当該装置が水中に入ると横側の空気の流入穴から水が侵入し、侵入した水に押し上げられた、フロートが当該装置の天井側の空気孔を、閉塞し、内部への、水の侵入を防ぐ構造ではあるが、同時に空気をも遮断するのである。何かの事故で水が当該装置に侵入した場合、使用者の口に直行し肺にまで達し、窒息死する欠陥があった。
【特許文献１】特開２００１−０５８５９６
【特許文献２】特開平１０−０５３１９２
【特許文献３】実開昭４７−５０４８２
【考案の開示】
【考案が解決しようとする課題】
【０００３】
現在市販され、世界中で使用されているのが図４に示す様な、Ｊ字型管のシュノー
ケルである。此の型は、現れてから５０年以上経過している筈であり、世界中でＪ字
型管のシュノーケルを使用しての事故が起こり、相当な数の死人が出ているが、未だ
に、安全性は改善されることなく使用され続けている。Ｊ字型の管のシュノーケルの
範疇に入らない型を商品化したものを見かけた事がない。要するにＪ字型管の、シュ
ノーケルを凌駕し、其の存在を脅かす新型が、未だに開発されてないと言う事になる。
【課題を解決するための手段】
【０００４】
Ｊ字型の管のシュノーケルの存在理由は、使用者が水中に深く潜る時、スキューバに切り替えるが、使用していたシュノーケルを、其の侭、水中に、携帯出来る形状か、と言う点であろうと思われる。深く潜る時、Ｊ字型の管のシュノーケルのマウスピースだけ、口から、はずし、本体は頭に固定した侭、深く潜る。つまり水中にまで、
Ｊ字型の管のシュノーケルを携帯する。
【０００５】
本出願は、Ｊ字型の管のシュノーケルを改良し、世界に先駆けて、スキューバの如く、空気ボンベを背負った自給気式潜水装置の如く、長時間、空気ボンベを伴わないＪ字型の管のシュノーケルで空気供給が継続出来る様にし、水面に近い浅い水深ながら、顔面を水中に没した侭、長時間の遊泳を楽しめる構造にした、改良Ｊ字型の管のシュノーケルであり、且つ、Ｊ字型の管のシュノーケルの空気吸い込み口に水遮断装置を付けて、水自動排出構造にしてあるので、万一浸水しても水は遮断されて、使用者の口中に到達せず、空気は継続して供給されるので、使用者は継続して呼吸できる構造の、Ｊ字型の管のシュノーケルであり、自給気式潜水装置ではない、Ｊ字型の管のシュノーケルを、スキューバの如く、自給気式潜水装置の如く長時間、水中に顔面を没した侭、遊泳を楽しめるＪ字型の管のシュノーケルに変身させる仕組みを、世界に先駆けて、開発したと自負しています。
【考案の効果】
【０００６】
水遮断装置を装備し、完成品となった、Ｊ字型の管のシュノーケルを、２本、合体させ、１本のＪ字型の管のシュノーケルにすると、１本のＪ字型の管のシュノーケルに、空気ルートが２本存在する事になり、水遮断装置も、空気が流れる管も、空気吸い込み口も、数が２個になる訳だがマウスピースのみ、１個にする事で、如何なる機能を持つ様になるか、説明する。２本の空気ルートの中の、いずれかに浸水すると、連結された当該装置が水を遮断するし、空気も遮断するが、他の１本の空気ルートからは、空気が流れ、使用者に空気を供給する。それが、２本のＪ字型の管のシュノーケルを合体させ、２本の空気ルートを作った、効果であり、使用者は空気が供給されるので、パニックを起こさず冷静に、排水の為の行動をして、肺に一杯空気を吸い込み、一気に、マウスピースに、吐き出せば排水出来るし、浸水の度毎、排水を繰り返せば良い。其れを繰り返す事で、空気ルートを２本、継続して維持できる。２本のＪ字型シュノーケルを合体させる方法として、２案あり、他の１案は、Ｕ字型の形状の、管シュノーケルにする事である。異型の感じが、するが、頭部に固定するには、此の型の方がより安定すると、思われるし、機能的には、何れの型も遜色がない。
【０００７】
水遮断装置を構成する容器は、図１に示すように透明な材質で作り外側から内部の状態が見える構造にし、当該容器の内部空間は直径を４ｃｍ位、高さを６ｃｍ位にする。其の内部空間には、球形の浮き３を入れる。
しかし研究を重ねて可能な限り小型にする計画である。
【０００８】
水遮断装置の構造を説明する。当該装置を雪だるま、の形状に、透明なプラスチックで作り、内部への空気の流入穴を、当該容器の雪だるまの胴体部に相当する底部に開け、空気の流出穴を雪だるまの頭部に相当する頭頂に開け、球形の浮き、を空洞になっている雪だるまの胴体部に相当する当該装置の内部に入れ、球形の浮き、の直径は
雪だるまの頭部に相当する空間の内部直径よりも、直径が微かに小さくなる様に作り、
球形の浮きが、雪だるまの頭部の空間に、頻繁に出入り出来る様にし、球形の浮きが、
当該容器の底部の空気の流入穴に接触する様に載ると、空気の流入穴を完全に塞ぐ事になるので、それを防止する方法として当該容器の内側の、底部を二重底にし、二重底の上側の底板を、水玉模様の穴の開いた板にする事で空気の流入穴を塞がれる事を防止させる、構造にする。  
【０００９】
水遮断装置で、水を遮断する装置の仕組みを説明する。図１、図５参照
水が水遮断装置の雪だるま、形状の胴体底部の、空気の流入穴から中に侵入する時、水は水遮断装置の内部空間を下から、満たしながら上昇する。球形の浮き３は、侵入して来た、水の上に浮き、水よりも、先行して上昇し、雪だるま、形状の頭部空間に入り、頭頂に開けられた、空気の流出穴に密着し、穴を栓塞し、水を遮断する。
【考案を実施するための最良の形態】
【００１０】
空気吸い込み口と、マウスピースに水遮断装置をつけた、Ｊ字型の管のシュノーケルを、２本合体させ、１本のＪ字型の管のシュノーケルにする案と、もう１案は、同じ様に、２本合体させて、Ｕ字型管シュノーケルにする案の２案あるが、何れの場合も、１本の、シュノーケルに４個の水遮断装置を取り付けた、シュノーケルになる。
同時に、水遮断装置を４個装備した、シュノーケルは、スキューバの如く、自給気潜水装具の如く、長時間、浅い水深の水面近くで顔面を水中に没した侭、遊泳を楽しめる、世界初の、シュノーケルに変身する。理由は、Ｊ字型の管のシュノーケルを２本合体させた事で、空気ルートも２本になり、中の１本に浸水しても、他の１本の空気ルートから供給される空気で使用者は継続して呼吸が出来るので窒息する事はない。
【実施例】
【００１１】
Ｊ字型の管のシュノーケルの水遮断装置の効果の有無を、模型で実験し、答えを出すべく、コカコーラのペットボトルを２本、胴体を切断し、底部は捨て、上側の瓶の口の、ついた側だけを２本使用し、１本を逆さまにして、瓶の口が、上下に、２箇付いた形状になる様に、胴体部同士を接着するが、其の前に、中に、ピンポン球を、入れる、そして接着する。其の形状は瓶の底部に、もう一つ、瓶の口があり、中に、球形の浮き、を有する、本出願の添付図面  図１  の水遮断装置の形状の模型になった。
【００１２】
其の模型の空気吸い込み口に当たる下側の、瓶の口に、ゴム、ホースを、つなぎ、水道水を流し込み、水遮断効果の有無を、実験して見た所、中のピンポン球が、内部に侵入して来た水の上に、浮き、水より先行して上昇し、上側の瓶の口に密着し、栓の役目をして見事に水遮断する事を確認した。幾ら繰り返しても、結果は同一だった。
【００１３】
其の模型を色んな角度に傾斜させての実験をした結果、傾斜角度、６０度以上、仰角、３０度以下の場合、ピンポン球が、栓をした瓶の口から、後退し、逆戻りし、水遮断
が出来なくなる事が判った。理由は瓶の口の形状が、６０度の傾斜角度になっているからである。その欠点を修正する為に、水遮断装置を図１の如く雪だるま形状に作り、
其の頭部に当たる空間に、ピンポン球を追い込む様にし、ピンポン球は、雪だるま形
状の頭部空間に入ってしまったら、其の壁面は垂直なので、Ｊ字型の管のシュノーケルが９０度以上、傾斜しなければ、逆戻りしない事に、なる。模型実験から得た知識である。
【００１４】
最も望ましいシュノーケルは、図９の姿図で、Ｊ字型の管シュノーケルを２本合体させて１本のＵ字型の管のシュノーケルにしたもので、２本の空気ルートの空気吸い込み口に、それぞれ１個ずつの水遮断装置、マウスピースに、それぞれ、２個ずつの、水遮断装置、合計４個の水遮断装置が、付いていて、格好悪いかも知れないが、その性能は、飛躍的に伸びて、スキューバの如く、自給気潜水装具の如く、長時間、水面に近い浅い水深ながら、顔面を水中に没した侭、遊泳を楽しめる、Ｕ字型の管のシュノーケルに変身するのである。
図９で説明すると、右側の吸い込み口，Ｂから浸水しかけて遮断されているが、自動排水構造になっているので、浸水出来ない。左側も同様な状態を繰り返しながら浸水はしない。出来ないのである。そして空気は２本のルートから使用者には、中断する事なく供給される。スキューバや自給気潜水装具と、同様に、安全に、ただ、浅い深度と、深い深度の違いだけである。此の望ましい形の、Ｕ字型の管のシュノーケルを使用する事で、事故死者が、ゼロになるであろうと、確信する。
【図面の簡単な説明】
【００１５】
【図１】水遮断装置の内部構造図、図９の空気吸い込み口に、使用する当該装置は、図１に限定する
【図２】図１の当該装置に浸水した場合、球形の浮きは水の上に浮き、空気の流出穴に球形の浮きが、密着し、栓の役目をして穴を塞いでいる姿図
【図３】水遮断装置の２重底の、上段の底板の俯瞰図、水玉模様の穴が開いている。
【図４】現在、市販されているＪ字型の管のシュノーケルの全体像。
【図５】市販されているＪ字型の管のシュノーケル図４に、    図１の水遮断装置を取り付けた図
【図６】浸水した場合、球は水の上に浮き、上昇し天井の穴に密着し、穴を塞ぐ栓の役目をして、穴を閉塞し、水も空気も遮断する。その光景図
【図７】Ａ，ＢのＪ字型の管のシュノーケルを、２本合体させ、それぞれ、別々の水遮断装置から出て来た段階で両方の空気は合流し、一つのマウスピースに流れ込む一人用のＪ字型の管のシュノーケルになる。
【図８】２個合体させた水遮断装置付きのＪ字型の管のシュノーケルの中の１個は浸水しているので水は遮断され、空気も遮断されているが、浸水してない方の水遮断装置は空気を供給しているので使用者は呼吸できる状態である。
【図９】最も望ましい形のＪ字型の管のシュノーケルで、Ｂの空気吸い込み口に浸水しかけた水は遮断され、そして自然に、こぼれ出る。Ａ，Ｂ両方の空気吸い込み口が同様な状態を繰り返しながら、両方とも浸水はせず、空気だけを中に送り続けることになる最良の、望ましい、Ｊ字型の管のシュノーケルの姿である。
【図１０】水遮断装置の正面図
【図１１】当該装置の背面図
【図１２】当該装置の右側の姿図
【図１３】当該装置の左側の姿図
【図１４】Ｊ型シュノーケルを２本合体させて、１本のＵ字型シュノーケルにした図
【図１５】Ｕ字型管のシュノーケルの２個の水遮断装置の１個に浸水した図、空気ルートが２本あるので、他の１本の空気ルートから空気は供給される。
【図１６】Ｕ字型管シュノーケルの２個の空気吸い込み口に、それぞれ１個ずつの、水遮断装置が取り付けられている図、右側は浸水している図
【図１７】水遮断装置をカバーで保護し、頑丈にした図
【符号の説明】
【００１６】
１    空気吸い込み口
２    水遮断装置
３    球形の浮き、
４    マウスピース
５    空気の進行方向       
６    水
７    空気の流通孔
８    水遮断装置の２重底の、上段の底板、水玉模様の穴の開いた板  
【図１】
0003128525.tif 000003
【図２】
0003128525.tif 000004
【図３】
0003128525.tif 000005
【図４】
0003128525.tif 000006
【図５】
0003128525.tif 000007
【図６】
0003128525.tif 000008
【図７】
0003128525.tif 000009
【図８】
0003128525.tif 000010
【図９】
0003128525.tif 000011
【図１０】
0003128525.tif 000012
【図１１】
0003128525.tif 000013
【図１２】
0003128525.tif 000014
【図１３】
0003128525.tif 000015
【図１４】
0003128525.tif 000016
【図１５】
0003128525.tif 000017
【図１６】
0003128525.tif 000018
【図１７】
0003128525.tif 000019
【手続補正書】
【提出日】平成18年10月31日(2006.10.31)
【手続補正１】
【補正対象書類名】実用新案登録請求の範囲
【補正対象項目名】全文
【補正方法】変更
【補正の内容】
【実用新案登録請求の範囲】
【請求項１】
シュノーケルの水遮断装置を構成する器は内部が空洞の球状体と其れより少し小さめの同じく内部が空洞の球状体が合体した２階形状を形成する器であり、其の内部空間に入る球形の浮きの直径を当該器の２階に相当する部分の小空間の直径よりも小さくし、当該器の底部に空気の流入穴を設け天井部には流出穴を設け、当該流入穴の上に穴を水玉模様状に散在させた上底板を設け二重底構造となし、球形の浮きを上底板の上に置き、空気の流入穴から引き離し、器内に浸水した場合、自動的に水を遮断する仕組みの水遮断装置を有することを特徴とするＪ字型シュノーケル
【請求項２】
請求項１に記載された水遮断装置と同一の装置を、Ｊ字型管のシュノーケルのマウスピースと、空気吸い込み口に、それぞれ、１個ずつ、直連結した、Ｊ字型管のシュノーケルを、２本使用して、Ｕ字型の形状の、１本のシュノーケルにし、其の、１本で、合計、４個の水遮断装置を装備した、Ｕ字型管のシュノーケル
【請求項３】
請求項１に記載された水遮断装置と同一の装置を、Ｊ字型管のシュノーケルのマウスピースと、空気吸い込み口に、それぞれ、１個ずつ、直連結した、Ｊ字型管のシュノーケルを、２本合体させて、１本のＪ字型管のシュノーケルにし、其の１本で、合計、４個の水遮断装置を装備した、Ｊ字型管のシュノーケル
【請求項４】
請求項１に記載された水遮断装置と同一の装置を、Ｊ字型管のシュノーケルのマウスピースに、直連結した、Ｊ字型管のシュノーケルを、２本使用して、Ｕ字型の形状の、１本のシュノーケルにし、其の、１本で、合計、２個の水遮断装置を装備した、Ｕ字型管のシュノーケル
【請求項５】
請求項１に記載された水遮断装置と同一の装置を、Ｊ字型管のシュノーケルのマウスピースに直連結した、Ｊ字型管のシュノーケルを、２個合体させて、１本のＪ字型シュノーケルにし、其の１本で、合計、２個の水遮断装置を装備した、Ｊ字型管のシュノーケル